(57)【要約】【課題】便器から排出される排水と、手洗器から排出される排水と、を下流で合流させて、下水に流下させるトイレの排水構造であって、手洗器用排水管上に噴出や破封の虞がある封水を用いずに、下水からの臭気などの逆流を確実に防止することができるトイレの排水構造を提供する。【解決手段】トイレの排水構造は、便器から排出される排水を流下させる便器用排水流路と、トイレ内に設置される手洗器から排出される排水を流下させる手洗器用排水流路と、を下流で合流させて下水に排出するトイレの排水構造であって、前記手洗器用排水流路上にメンブレン式の自封トラップを形成した。【選択図】図１
2012127135.tif 000002
【特許請求の範囲】
【請求項１】
便器から排出される排水を流下させる便器用排水流路と、トイレ内に設置される手洗器から排出される排水を流下させる手洗用排水流路と、を下流で合流させて下水に排出するトイレの排水構造であって、
前記手洗用排水流路上にメンブレン式の自封トラップを形成したことを特徴とするトイレの排水構造。
【請求項２】
前記手洗用排水流路は、その一部に略水平に設けられた水平流路部に前記自封トラップが形成されるものであって、
当該自封トラップは、上流側に筒状の基端部が形成されるとともに、下流側に当該基端部から連続して形成された弾性を有する板状であって、その先端が開閉自在に当接する上下一対の弁体が形成されており、当該弁体は、互いに当接する先端が上下方向の中央よりも下方に形成されたことを特徴とする請求項１に記載のトイレの排水構造。
【請求項３】
前記水平流路部を形成する排水管の内周面、及び前記自封トラップの外側面には、互いに嵌合する上下方向が特定可能な凹凸が形成されたことを特徴とする請求項２に記載のトイレの排水構造。
【発明の詳細な説明】
【技術分野】
【０００１】
本発明は、トイレの排水構造に関し、特に、便器から排出される排水と、手洗器から排出される排水と、を下流で合流させて、下水に流下させるトイレの排水構造に関する。
【背景技術】
【０００２】
従来より、トイレの排水構造として、図７に示すように、便器１００から排水を排出する排水流路が、トイレ床面に埋設された排水配管１０１に連通しており、便器１００とは離れた位置に形成された手洗器１０２から排出される排水を流下させる手洗器用排水管１０３が、この排水配管１０１に合流したトイレの排水構造１０４が知られている（例えば特許文献１、特許文献２）。このトイレの排水構造１０４においては、下水からの臭気などの逆流を抑えるために、便器内に一定の封水を貯留するトラップ１０６が形成されているとともに、手洗器用排水管１０３にもＵ字に湾曲させたＵ字トラップ１０５を形成している。
【０００３】
このように形成したトイレの排水構造１０４は、便器１００からの排水と手洗器１０２からの排水とをともに同一の排水配管１０１に排出するので、建屋側に別途手洗器用の排水配管を敷設する必要がないので、設置コストを下げることができる。
【先行技術文献】
【特許文献】
【０００４】
【特許文献１】特開２０００−２４８６０３号公報
【特許文献２】特開２００３−３１３９２５号公報
【発明の開示】
【発明が解決しようとする課題】
【０００５】
ところで、便器１００からの排水は汚物を下水まで流下させる必要であるので、便器１００の背面上方に設置される貯留タンク１０７に貯留されている水及び便器に形成されているトラップ１０６に貯留されている封水を、勢い良く排水配管１０１側に排出する。便器１００から排水配管１０１側に排水が勢い良く排出されると、排水配管１０１内に強い圧力が発生することになり、この排水配管１０１に連通している手洗器用排水管１０３にも逆流方向にも高い圧力が加わることになる。そして、手洗器用排水管１０３が逆流方向に加圧されると、この手洗器用排水管１０３の経路上に形成されたＵ字トラップ１０５に下流側から圧力が加わることになり、このＵ字トラップ１０５に貯留されている封水が手洗器１０２側に噴出する虞がある。
【０００６】
また、多くの水洗トイレでは、便器１００から排出された排水により下流側でサイフォン現象を発生させ、その吸引力で汚物を排出しているが、便器１００のみならず手洗器用排水管側１０３にもサイフォン現象による負圧がかかることになる。そして、手洗器用排水管１０３の経路上に形成されているＵ字トラップ１０５にも下流側に吸引される負圧がかかることになり、このＵ字トラップ１０５に貯留されている封水が下流側に流出して、Ｕ字トラップ１０５内に封水が足りない破封が発生する虞がある。
【０００７】
そこで、本発明は、便器から排出される排水と、手洗器から排出される排水と、を下流で合流させて、下水に流下させるトイレの排水構造であって、手洗器用排水管上に噴出や破封の虞がある封水を用いずに、下水からの臭気などの逆流を確実に防止することができるトイレの排水構造を提供することを目的とする。
【課題を解決するための手段】
【０００８】
上記の目的を達成するために、請求項１に記載のトイレの排水構造は、便器から排出される排水を流下させる便器用排水流路と、トイレ内に設置される手洗器から排出される排水を流下させる手洗器用排水流路と、を下流で合流させて下水に排出するトイレの排水構造であって、前記手洗器用排水流路上にメンブレン式の自封トラップを形成したことを特徴としている。
【０００９】
なおここで、「メンブレン式の自封トラップ」とは、上流側が開放された筒状に形成されるとともに、下流側に前記上流側から連続しており互いに当接する２枚の板状の弁体が形成される弾性体により形成されたトラップであり、上流側から排水が流れる場合には、排水の圧力によりトラップの下流側の２枚の弁体が互いに離反する方向に弾性変形して開口するので排水を下流側に排出することができるとともに、下流側から臭気が上がってくる場合には、上流側から連続して形成された互いに当接する２枚の弁体により臭気を遮断することができるものである。
【００１０】
請求項２に記載のトイレの排水構造は、前記手洗器用排水流路は、その一部に略水平に設けられた水平流路部に前記自封トラップが形成されるものであって、当該自封トラップは、上流側に筒状の基端部が形成されるとともに、下流側に当該基端部から連続して形成された弾性を有する板状であって、その先端が開閉自在に当接する上下一対の弁体が形成されており、当該弁体は、互いに当接する先端が上下方向の中央よりも下方に形成されたことを特徴としている。
【００１１】
請求項３に記載のトイレの排水構造は、前記水平流路部を形成する排水管の内周面、及び前記自封トラップの外側面には、互いに嵌合する上下方向が特定可能な凹凸が形成されたことを特徴としている。
【発明の効果】
【００１２】
請求項１に記載のトイレの排水構造によると、手洗器用排水流路上にメンブレン式の自封トラップが形成されているので、封水を貯留した従来のトラップを設ける必要がない。そして、このメンブレン式の自封トラップは、上流から下流側に排水が流下するときには、排水の流れを妨げることがなく、一方、便器から排水配管側に排水が勢い良く排出されて、手洗用排水管に逆流方向に高い圧力が加わっても、その圧力を利用してより強固に弁体を閉ざすので、臭気や排水が手洗器側に逆流することを確実に防止できる。また、下流側でサイフォン現象が発生して吸引され場合でも、単に自封トラップの弁体が互いに離反して、上流側から下流側に空気が流れるのみであり、サイフォン現象が収束すると、再び弁体が互いに当接しあって、下流からの臭気の逆流を防止するので、封水を貯留した従来のトラップのように破封する虞もない。
【００１３】
請求項２に記載のトイレの排水構造によると、手洗器用排水流路には水平流路部が形成されており、この水平流路部に自封トラップが形成されており、しかもこの自封トラップの上下一対の弁体の互いに当接する先端は、上下方向の中央よりも下方に形成されているので、上流側に排水があるときには、弁体同士が離反して開口しやすく、自封トラップの上流側に排水が滞留することを抑制できる。
【００１４】
請求項３に記載のトイレの排水構造によると、水平流路部を形成する排水管の内周面、及び自封トラップの外側面に、互いに嵌合する上下方向が特定可能な凹凸が形成されているので、自封トラップを上下逆に取付けることができない。したがって、施工の際に自封トラップの上下を間違える不具合の発生を抑制することができる。
【図面の簡単な説明】
【００１５】
【図１】トイレの排水構造の全体構成を説明する斜視図。
【図２】便器本体の構造を説明する一部省略断面図。
【図３】（Ａ）は自封トラップの形状を説明する正面図、（Ｂ）は自封トラップの形状を説明する側面図、（Ｃ）は自封トラップの形状を説明する背面図、（Ｄ）は自封トラップの形状を説明する断面図。
【図４】（Ａ）は、手洗器用排水流路上に設置された自封トラップが閉じた状態を示す断面図、（Ｂ）は、手洗器用排水流路上に設置された自封トラップが開いた状態を示す断面図。
【図５】水平流路部を形成する排水管の内周面の形状に沿うように、中心が下方に膨らむ円弧状に湾曲して弁体が形成された自封トラップを説明する正面図、側面図、斜視図。
【図６】水平流路部を形成する排水管の内周面の形状に沿うように、中心が下方に膨らむように湾曲して形成され、且つ、先端が下流方向に向かって細くなるように円弧状に形成された自封トラップを説明する上面図及び斜視図。
【図７】従来のトイレの排水構造を説明する斜視図。
【発明を実施するための形態】
【００１６】
以下、各図を参照しつつ、本発明のトイレの排水構造１の最良の実施形態について説明する。本実施形態のトイレの排水構造１は、図１に記載のように、洋式便器２と、この洋式便器２とは離れた位置に形成される手洗器３とを備えたトイレに敷設されている。なお、本実施形態においては洋式便器２を用いて説明するが、本発明のトイレの排水構造１は例えば和式便器が設置されたトイレにおいても用いることができる。
【００１７】
洋式便器２は、図１及び図２に示すように、便座４、貯水タンク５、蓋体６、及び便器本体７を備えており、この便器本体７には、封水８を貯留して下流からの臭気や虫などの侵入を防ぐトラップ９が形成されるとともに、このトラップ９の下流側に、トイレ床面に埋設される排水配管１０に連通する便器用排水流路１１が形成されている。また、手洗器３は、蛇口１２、水の出し止めを操作するレバー１３、及び蛇口１２から出た水を受けるシンク１４を備えており、図示しないがシンク１４の底には排水口が形成されいて、手洗器用排水流路１５を形成する排水管１６に連通している。
【００１８】
そして、手洗器用排水流路１５を形成する排水管１６は、複数の管体１９，２０を連結して形成したものであり、シンク１４の排水口から下方に略鉛直に伸びて、その下方で湾曲して略水平方向に伸びる水平流路部１７を形成しており、この排水管１６はトイレの壁沿いにさらに洋式便器２にまで伸びて、便器本体７に形成された便器用排水流路１１に合流している。そして、水平流路部１７の中間位置には、図１及び図４に示すように、メンブレン式の自封トラップ１８が設けられている。自封トラップ１８は、水平流路部１７を形成する排水管１６の上流側管体１９と下流側管体２０との連結部に設置されている。本実施形態のトイレの排水構造１を施工する際には、自封トラップ１８の基端部２１を上流側管体１９の端部に挿入して固定した後、上流側管体１９に下流側管体２０を外嵌して固定することにより、水平流路部１７内に自封トラップ１８を設置している。
【００１９】
自封トラップ１８は、図３に示すように、弾性を有する樹脂により形成されており、上流側の端部が開放された基端部２１を形成するとともに、下流側の端部は、この基端部２１から連続して先端側に向かって細くなる側部が互いに閉じ合わされた板状に形成された上下一対の弁体２２が形成されている。この上下一対の弁体２２は、その先端が自封トラップ１８の上下方向の中央よりも下方に位置するように、下側の弁体２２ｂが略水平に形成されるとともに、上側の弁体２２ａが下方に傾斜して形成されており、上下一対の弁体２２の先端で互いに当接している。
【００２０】
このように、本実施形態の自封トラップ１８は、上下一対の弁体２２の先端が下方に位置しており、下側の弁体２２ｂが略水平に形成されているので、水平方向に伸びる水平流路部１７に設置されても、上流側から流下する排水が下側の弁体２２ｂに阻まれる量を少なくすることができ、自封トラップ１８の上流側に排水が滞留することを抑制できる。
【００２１】
また、自封トラップ１８には、図３及び図４に示すように、基端部２１の上部に突出する凸部２３が形成されており、上流側管体１９の端部の内周面の上部にも、この凸部２３に嵌合する凹部２４が形成されている。これにより上流側管体１９の上下が特定されれば、凹部２４に凸部２３が嵌合することにより、自封トラップ１８の上下も特定されることになるので、施工の際に自封トラップ１８の上下を間違える不具合の発生を抑制することができる。なお、本実施形態においては、基端部２１の上部に凸部２３が形成され、上流側管体１９の端部の内周面の上部に凹部２４が形成されているが、凸部２３及び凹部２４の位置はこれに限定されるものではない。凸部２３及び凹部２４は、それぞれ側部に形成されてもよく、また下部に形成されてもよい。互いに対応する位置に形成されていれば、自封トラップ１８の上下方向を特定することができるからである。また、自封トラップ１８側に凹部２４が形成され、上流側管体１９の端部内周面に凸部２３が形成されるものであってもよい。さらに、凸部２３又は凹部２４の位置は上流側管体１９の端部内周面に限られず、例えば、下流側管体２０の端部内周面に形成されるものであってもよい。
【００２２】
自封トラップ１８は、圧力が加わらない状態のとき又は下流側から圧力が加わった場合には、図４（Ａ）に示すように、２枚の弁体２２の先端が互いに密着した状態を維持し、上流側に臭気などの流体が移動することを規制する。一方、この自封トラップ１８に上流側から圧力が加わった場合には、図４（Ｂ）に示すように、基端部２１の内側から連続する２枚の弁体２２の内側に圧力が加わり、２枚の弁体２２が互いに離反するように弾性変形し、２枚の弁体２２の間に流体が通過できる間隔が生じる。
【００２３】
なお、本実施形態においては、水平流路部１７を形成する排水管１６の形状は円筒状であるが、例えば多角形状の筒状に形成された排水管１６を用いることもでき、このような場合、自封トラップ１８の基端部２１の形状も排水管１６の形状に合わせて多角形状とすることができる。
【００２４】
また、自封トラップ１８の形状はこれに限定されるものではない。例えば、図５に示すように、自封トラップ１８の上下一対の弁体２２の形状は、水平流路部１７を形成する排水管１６の内周面の形状に沿うように、中心が下方に膨らむ円弧形状に湾曲して形成されていてもよい。このように形成すると、下側の弁体２２ｂの最も低い位置が排水管１６の内周面の最も低い位置に近接することになり、上流側から流れてきた排水がこの下側の弁体２２ｂに妨げられて、自封トラップ１８の上流側で滞留することをより効果的に防止することができる。
【００２５】
また、自封トラップ１８の形状は、例えば、図６に示すように、上下一対の弁体２２が水平流路部１７を形成する排水管１６の内周面の形状に沿うように中心が下方に膨らむように湾曲して形成され、且つ、先端が下流方向に向かって細くなるように円弧状に形成されていてもよい。上下一対の弁体２２を排水管１６の内周面に沿うように湾曲させると、下側の弁体２２ｂは排水管１６の内周面に密接して弾性変形しにくくなり、上側の弁体２２ａが持ち上がって弁体２２が離反する際及び上側の弁体２２ａが下がって弁体２２が当接する際に、下側の弁体２２ｂと固着されている側部が動かないことにより、上側の弁体２２ａが持ち上がりにくく、また、下がりにくくなる。そこで、上述のように、上下一対の弁体２２の先端が下流方向に向かって細くなるように円弧状に形成されていることにより、上下一対の弁体２２の先端付近の側部が互いに固着されていないので、上側の弁体２２ａの弾性変形を妨げることがなく、上側の弁体２２ａが持ち上がりにくく下がりにくい問題点を緩和することができる。
【００２６】
以上のように、本実施形態のトイレの排水構造１によると、封水を貯留した従来のトラップを設ける必要がないのでメンテナンス性に優れている。また、メンブレン式の自封トラップ１８は、洋式便器２から排水配管１０側に排水が勢い良く排出された場合に、手洗用排水流路１５に逆流方向に高い圧力が加わっても、その圧力を利用してより強固に弁体２２を閉ざすことができるので臭気や排水が手洗器３側に逆流することを確実に防止できる。さらに、下流側でサイフォン現象が発生して手洗器用排水流路１５内の空気が吸引され場合でも、単に自封トラップ１８の弁体２２が互いに離反して、上流側から下流側に空気が供給されるのみであり、サイフォン現象が収束すると、再び弁体２２が互いに当接しあうので、下流からの臭気の逆流を防止することができ、封水を貯留した従来のトラップのように破封する虞もない。
【００２７】
そして、手洗器用排水流路１５の水平流路部１７に自封トラップ１８が設置されており、この自封トラップ１８の弁体２２の互いに当接する先端は、上下方向の中央よりも下方に形成されているので、上流側に排水があるときには、弁体２２同士が離反して開口しやすく、自封トラップ１８の上流側に排水が滞留することを抑制できる。手洗器３は便器２と離れて設置される場合も多く、このような場合には、手洗器用排水流路１５には長い水平流路部１７が設置されることになり、設計上、この水平流路部１７にトラップを設置したいこともあるので、このような場合に適切な場所に自封トラップ１８を設置することができる。また、水平流路部１７を形成する排水管１６の内周面、及び自封トラップ１８の外側面に、互いに嵌合する凹凸が形成されているので、施工の際に自封トラップ１８の上下を間違える虞もない。
【００２８】
なお、本発明の実施の形態は、本実施形態に限定されるものではなく、本発明の思想の範囲を逸脱しない範囲で適宜変更することができることは云うまでもない。
【産業上の利用可能性】
【００２９】
以上のように、本発明に係るトイレの排水構造１は、便器から排出される排水と、手洗器３から排出される排水と、を下流で合流させて、下水に流下させるトイレの排水構造１として好適に用いることができる。
【符号の説明】
【００３０】
１    トイレの排水構造
２    洋式便器（便器）
３    手洗器
１１  便器用排水流路
１５  手洗器用排水流路
１７  水平流路部
１８  自封トラップ
２１  基端部
２２  弁体
２３  凸部（凸）
２４  凹部（凹）
【図１】
2012127135.tif 000003
【図２】
2012127135.tif 000004
【図３】
2012127135.tif 000005
【図４】
2012127135.tif 000006
【図５】
2012127135.tif 000007
【図６】
2012127135.tif 000008
【図７】
2012127135.tif 000009